(57)【要約】【課題】スリープ制御を行う際の監視周期を動的に変更し、スリープ時間、平均フレーム遅延時間の適正化と、監視処理による負荷の低減とを図る。【解決手段】ＯＬＴ１と、スリープ機能を有し、ＯＬＴ１に接続される複数のＯＮＵ２とを備え、ＯＬＴ１は、各ＯＮＵ２への下りフレームを蓄積する下り用バッファ部１０４と、所定の監視周期で、下り用バッファ部１０４に蓄積されている各ＯＮＵ２への下りフレームの蓄積量を監視するバッファ監視部１０８と、バッファ監視部１０８による監視結果に基づいて、各ＯＮＵ２に対するスリープ制御を行うとともに、監視周期を動的に変更するスリープ処理部１０９とを備えた。【選択図】図１
2013223226.tif 000002
【特許請求の範囲】
【請求項１】
ＯＬＴと、スリープ機能を有し、前記ＯＬＴに接続される複数のＯＮＵとを備えた通信システムにおいて、
前記ＯＬＴは、
前記各ＯＮＵへの下りフレームを蓄積する下り用バッファ部と、
所定の監視周期で、前記下り用バッファ部に蓄積されている前記各ＯＮＵへの下りフレームの蓄積量を監視するバッファ監視部と、
前記バッファ監視部による監視結果に基づいて、前記各ＯＮＵに対するスリープ制御を行うとともに、前記監視周期を動的に変更するスリープ処理部とを備えた
ことを特徴とする通信システム。
【請求項２】
前記ＯＬＴは、前記バッファ監視部に代えて、前記監視周期で、前記下り用バッファ部に蓄積されている前記各ＯＮＵへの下りフレームのセッション種別を監視するセッション監視部を備え、
前記スリープ処理部は、前記セッション監視部による監視結果に基づいて、前記各ＯＮＵに対するスリープ制御を行うとともに、前記監視周期を動的に変更する
ことを特徴とする請求項１記載の通信システム。
【請求項３】
ＯＬＴと、スリープ機能を有し、前記ＯＬＴに接続される複数のＯＮＵとを備えた通信システムにおいて、
前記ＯＮＵは、
前記ＯＬＴへの上りフレームを蓄積する上り用バッファ部と、
所定の監視周期で、前記上り用バッファ部に蓄積されている前記ＯＬＴへの上りフレームの蓄積量を監視するバッファ監視部と、
前記バッファ監視部による監視結果に基づいて、自機に対するスリープ解除制御を行うとともに、前記監視周期を動的に変更するスリープ処理部とを備えた
ことを特徴とする通信システム。
【請求項４】
前記ＯＮＵは、前記バッファ監視部に代えて、前記監視周期で、前記上り用バッファ部に蓄積されている前記ＯＬＴへの上りフレームのセッション種別を監視するセッション監視部を備え、
前記スリープ処理部は、前記セッション監視部による監視結果に基づいて、自機に対するスリープ解除制御を行うとともに、前記監視周期を動的に変更する
ことを特徴とする請求項３記載の通信システム。
【請求項５】
スリープ機能を有する複数のＯＮＵが接続されたＯＬＴにおいて、
前記各ＯＮＵへの下りフレームを蓄積する下り用バッファ部と、
所定の監視周期で、前記下り用バッファ部に蓄積されている前記各ＯＮＵへの下りフレームの蓄積量を監視するバッファ監視部と、
前記バッファ監視部による監視結果に基づいて、前記各ＯＮＵに対するスリープ制御を行うとともに、前記監視周期を動的に変更するスリープ処理部とを備えた
ことを特徴とするＯＬＴ。
【請求項６】
スリープ機能を有し、ＯＬＴに接続されるＯＮＵにおいて、
前記ＯＬＴへの上りフレームを蓄積する上り用バッファ部と、
所定の監視周期で、前記上り用バッファ部に蓄積されている前記ＯＬＴへの上りフレームの蓄積量を監視するバッファ監視部と、
前記バッファ監視部による監視結果に基づいて、自機に対するスリープ解除制御を行うとともに、前記監視周期を動的に変更するスリープ処理部とを備えた
ことを特徴とするＯＮＵ。
【発明の詳細な説明】
【技術分野】
【０００１】
この発明は、ＰＯＮ（Ｐａｓｓｉｖｅ  Ｏｐｔｉｃａｌ  Ｎｅｔｗｏｒｋ）システム等を用いて例えばユーザ端末等の下位側装置と通信を行う通信システム、ＯＬＴ及びＯＮＵに関するものである。
【背景技術】
【０００２】
サーバ等の上位側装置から下位側装置への伝送路を引き込むシステムとして、例えばＰＯＮシステムがある。ＰＯＮシステムを構成する親局側装置（ＯＬＴ：Ｏｐｔｉｃａｌ  Ｌｉｎｅ  Ｔｅｒｍｉｎａｌ）は複数のインタフェースカードを備え、各インタフェースカードは下位側にある複数の子局側装置（ＯＮＵ：Ｏｐｔｉｃａｌ  Ｎｅｔｗｏｒｋ  Ｕｎｉｔ）に接続される。ＯＬＴはさらに上位側装置と接続される。
【０００３】
このＰＯＮシステムにおいて、例えば上位側装置からＯＮＵへの下りフレーム送信が所定時間ない場合に、ＯＬＴからＯＮＵを制御して、ＯＮＵ内の一部の装置の電源供給を停止させた状態（スリープ状態）にし、低消費電力化を行う技術がある（例えば特許文献１参照）。この特許文献１に開示された技術では、任意のＯＮＵがスリープ状態に移行すると、ＯＬＴのバッファに当該ＯＮＵ宛ての下りフレームが蓄積される。そして、当該ＯＮＵがスリープ状態から解除されると、ＯＬＴは蓄積したフレームを読出し、ＯＮＵに送信する。
【先行技術文献】
【特許文献】
【０００４】
【特許文献１】特開２００８−２６３２８１号公報
【発明の概要】
【発明が解決しようとする課題】
【０００５】
この特許文献１に開示されるような、ＯＮＵのスリープ状態への移行に基づく消費電力の低減手段では、ＯＬＴは各ＯＮＵ宛ての下りフレームの受信状態を定期的に監視しスリープ状態への移行処理を行う必要がある（以下、本処理の周期を監視周期という）。ＯＮＵがスリープできる時間は、下りフレームのトラフィックの特性だけでなく、ＯＬＴの監視周期によっても変化する。
【０００６】
ここで、監視周期を短くして細かくスリープ処理を行うと、スリープの時間比率を高めることができ、省電力効果をより大きくすることができる。しかしながら、処理による負荷が大きくなってしまう。また、スリープ時間中はフレームを送出せずバッファに蓄積するため、スリープの時間比率が大きいほどフレームの平均遅延時間は大きくなる。
【０００７】
そして、適正な監視時間は、求められる平均遅延時間、省電力効果や、トラフィックの特性等によって異なる。しかしながら、特許文献１に開示される従来技術では、監視時間が固定であるため、例えばトラフィックが変化し監視周期を短くすることが可能な場合でも同じ監視周期で動作してしまい、必要以上のＣＰＵ資源を消費してしまうという課題があった。
【０００８】
この発明は、上記のような課題を解決するためになされたもので、スリープ制御を行う際の監視周期を動的に変更し、スリープ時間、平均フレーム遅延時間の適正化と、監視処理による負荷の低減が可能な通信システム、ＯＬＴ及びＯＮＵを提供することを目的としている。
【課題を解決するための手段】
【０００９】
この発明に係る通信システムは、ＯＬＴと、スリープ機能を有し、ＯＬＴに接続される複数のＯＮＵとを備え、ＯＬＴは、各ＯＮＵへの下りフレームを蓄積する下り用バッファ部と、所定の監視周期で、下り用バッファ部に蓄積されている各ＯＮＵへの下りフレームの蓄積量を監視するバッファ監視部と、バッファ監視部による監視結果に基づいて、各ＯＮＵに対するスリープ制御を行うとともに、監視周期を動的に変更するスリープ処理部とを備えたものである。
【００１０】
また、この発明に係る通信システムは、ＯＬＴと、スリープ機能を有し、ＯＬＴに接続される複数のＯＮＵとを備え、ＯＮＵは、ＯＬＴへの上りフレームを蓄積する上り用バッファ部と、所定の監視周期で、上り用バッファ部に蓄積されているＯＬＴへの上りフレームの蓄積量を監視するバッファ監視部と、バッファ監視部による監視結果に基づいて、自機に対するスリープ解除制御を行うとともに、監視周期を動的に変更するスリープ処理部とを備えたものである。
【発明の効果】
【００１１】
この発明によれば、上記のように構成したので、スリープ制御を行う際の監視周期を動的に変更することができ、スリープ時間、平均フレーム遅延時間の適正化と、監視処理による負荷の低減とが可能となる。
【図面の簡単な説明】
【００１２】
【図１】この発明の実施の形態１に係るＰＯＮシステムの構成を示す図である。
【図２】この発明の実施の形態１に係るＯＬＴによるスリープ動作を示すフローチャートである。
【図３】この発明の実施の形態１に係るＯＬＴによるウェイクアップ動作を示すフローチャートである。
【図４】この発明の実施の形態１に係るＯＮＵによるウェイクアップ動作を示すフローチャートである。
【図５】この発明の実施の形態２に係るＰＯＮシステムの構成を示す図である。
【発明を実施するための形態】
【００１３】
以下、この発明の実施の形態について図面を参照しながら詳細に説明する。
実施の形態１．
図１はこの発明の実施の形態１に係るＰＯＮシステム（通信システム）の構成を示す図である。
ＰＯＮシステムは、図１に示すように、ＯＬＴ１と複数のＯＮＵ２−１〜２−Ｎとが、光パワーを等配分する光デバイスである光カップラ３を介して光ファイバで接続されて構成されている。なお、以下において、特に区別する必要がない場合には、ＯＮＵ２−１〜２−Ｎを単にＯＮＵ２と称す。また、ＯＮＵ２の下位側には、それぞれＰＣ等の下位側装置４が接続されている。また、ＯＬＴ１の上位側には、サーバ等の上位側装置５が接続されている。
【００１４】
まず、ＯＬＴ１の詳細構成について説明する。
ＯＬＴ１は、図１に示すように、ＰＯＮインタフェース１０１、上位側インタフェース１０２、フレーム分離部１０３、下り用バッファ部１０４、フレーム読出制御部１０５、フレーム読出部１０６、光送受信部１０７、バッファ監視部１０８、スリープ処理部１０９及び上り用バッファ部１１０から構成されている。
【００１５】
ＰＯＮインタフェース１０１は、光カップラ３を介してＯＬＴ１と各ＯＮＵ２とを接続するものである。
上位側インタフェース１０２は、ＯＬＴ１と上位側装置５とを接続するものである。
【００１６】
フレーム分離部１０３は、上位側インタフェース１０２を介して上位側装置５から送信された下りフレームを宛て先ＯＮＵ２ごとに分離し、下り用バッファ部１０４に蓄積させるものである。ここで、フレーム分離部１０３は、フレーム内の宛て先ＭＡＣ（Ｍｅｄｉａ  Ａｃｃｅｓｓ  Ｃｏｎｔｒｏｌ）アドレスに基づいて宛て先ＯＮＵ２を識別する。なお、ＭＡＣアドレスの代わりにＶＬＡＮ（Ｖｉｒｔｕａｌ  Ｌｏｃａｌ  Ａｒｅａ  Ｎｅｔｗｏｒｋ）ＩＤに基づいて識別してもよい。
【００１７】
下り用バッファ部１０４は、フレーム分離部１０３からの下りフレームを蓄積するものである。
フレーム読出制御部１０５は、予め定めた優先度に基づいて、下り用バッファ部１０４に蓄積されている下りフレームの読出しを行うようフレーム読出部１０６を制御するものである。
【００１８】
フレーム読出部１０６は、フレーム読出制御部１０５による制御に基づいて、下り用バッファ部１０４から下りフレームを読出し、当該下りフレームを光送受信部１０７に出力するものである。
【００１９】
光送受信部１０７は、フレーム読出部１０６からの下りフレームを電気信号から光信号に変換し、ＰＯＮインタフェース１０１を介して全てのＯＮＵ２にマルチキャスト送信するものである。
また、光送受信部１０７は、ＰＯＮインタフェース１０１を介して各ＯＮＵ２から送信された光信号を受信して電気信号に変換し、上り用バッファ部１１０に蓄積させる機能も有している。
【００２０】
バッファ監視部１０８は、下り用バッファ部１０４に蓄積されている各ＯＮＵ２宛ての下りフレームの蓄積量を定期的に（所定の監視周期で）監視し、各ＯＮＵ２宛ての下りフレーム蓄積量を示す情報をスリープ処理部１０９に出力するものである。
【００２１】
スリープ処理部１０９は、バッファ監視部１０８からの各ＯＮＵ２宛ての下りフレーム蓄積量情報に基づいて、所定時間下りフレームを受信しない等のスリープ移行条件を満たすＯＮＵ２が存在するかを判断するものである。そして、スリープ移行条件を満たすＯＮＵ２に対し、スリープ状態への移行を要求するスリープ要求信号を送信する。このスリープ要求信号には、スリープを開始する時刻と（スリープ開始時刻）、どれだけの時間スリープを行うか（スリープ時間）を示す情報とが含まれている。
また、スリープ処理部１０９は、バッファ監視部１０８からの各ＯＮＵ２宛ての下りフレーム蓄積量情報に基づいて、スリープ状態にあるＯＮＵ２宛ての下りフレーム蓄積量が所定量に達した等のスリープ解除条件を満たした場合に、当該ＯＮＵ２に対してウェイクアップ信号を送信する機能も有している。
【００２２】
さらに、スリープ処理部１０９は、バッファ監視部１０８からの各ＯＮＵ２宛ての下りフレーム蓄積量情報を過去一定期間分保持し、その情報を処理することで各ＯＮＵ２宛てのトラフィックの特性を判断する機能も有している。このトラフィック特性としては、例えば平均到着間隔や使用帯域等が考えられる。そして、スリープ処理部１０９は、求めたトラフィック特性に基づいて、スリープ制御を行う際に最適な監視周期（バッファ監視部１０８での監視周期）を算出して動的に変更する。
【００２３】
上り用バッファ部１１０は、光送受信部１０７からの上りフレームを蓄積するものである。この上り用バッファ部１１０に蓄積された上りフレームは上位側インタフェース１０２を介し上位側装置５に送信される。
【００２４】
次に、ＯＮＵ２の詳細構成について説明する。
ＯＮＵ２は、図１に示すように、光送受信部２０１、上り用バッファ部２０２、バッファ監視部２０３、スリープ処理部２０４及び下り用バッファ部２０５から構成されている。
【００２５】
光送受信部２０１は、ＯＬＴ１からの下りフレームを光信号から電気信号に変換し、下り用バッファ部２０５に蓄積させるものである。なお、この際、光送受信部２０１では、受信した下りフレームのうち、自分宛てのフレームのみを受信し、他のフレームは廃棄する。また、ＯＬＴ１からスリープ要求信号又はウェイクアップ信号が送られてきた場合には、これらの信号を光信号から電気信号に変換し、スリープ処理部２０４に出力する。
また、光送受信部２０１は、上り用バッファ部２０２から出力された上りフレームを電気信号から光信号に変換し、ＯＬＴ１に送信する機能も有している。
【００２６】
上り用バッファ部２０２は、下位側装置４から送信されたＯＬＴ１宛ての上りフレームを蓄積するものである。この上り用バッファ部２０２に蓄積された上りフレームは光送受信部２０１に出力される。
【００２７】
バッファ監視部２０３は、上り用バッファ部２０２に蓄積されているＯＬＴ１宛ての上りフレームの蓄積量を定期的に（所定の監視周期で）監視し、上りフレーム蓄積量を示す情報をスリープ処理部２０４に出力するものである。
【００２８】
スリープ処理部２０４は、ＯＬＴ１からの指示（スリープ要求信号、ウェイクアップ信号）に基づいて、光送受信部２０１に対して、電源制御信号を出力して電源をＯＮ／ＯＦＦ制御するものである。
また、スリープ処理部２０４は、バッファ監視部２０３からの上りフレーム蓄積量情報に基づいて、上りフレーム受信の有無を判断する機能も有している。そして、ＯＮＵ２がスリープ状態にある際に上りフレームの受信を確認した場合には、光送受信部２０１に対して、電源制御信号を出力して電源をＯＮにする。また、その後、ＯＬＴ１への上りフレーム送信が許可された時刻になった際に、ウェイクアップ状態に移行した旨を示すウェイクアップ通知信号を光送受信部２０１を介してＯＬＴ１に送信する。
【００２９】
ここで、「ＯＮＵ２がスリープ状態にある」とは、ＯＮＵ２がＯＮＵ２内の一部装置への電源供給を停止させた状態であることを意味する。本実施の形態においては、一例として、ＯＮＵ２内の光送受信部２０１がＯＦＦしている状態を「スリープ状態」として説明を行うが、これに限定されるものではない。例えば、光送受信部２０１の光送信部のみを停止させたり、光受信部のみを停止させたり、図１に図示しないＰＯＮチップへの電源供給を停止させたりしてもよい。
【００３０】
下り用バッファ部２０５は、光送受信部２０１からの下りフレームを蓄積するものである。この下り用バッファ部２０５に蓄積された下りフレームは下位側装置４に送信される。
【００３１】
次に、上記のように構成されたＰＯＮシステムの動作について、図２〜４を参照しながら説明する。
まず、ＯＬＴ１によるスリープ動作について説明する。
ＯＬＴ１によるスリープ動作では、図２に示すように、まず、バッファ監視部１０８は、下り用バッファ部１０４に蓄積されている各ＯＮＵ２宛ての下りフレームの蓄積量を定期的に（所定の監視周期で）監視し、各ＯＮＵ２宛ての下りフレーム蓄積量を示す情報をスリープ処理部１０９に出力する（ステップＳＴ２１）。
【００３２】
次いで、スリープ処理部１０９は、バッファ監視部１０８からの各ＯＮＵ２宛ての下りフレーム蓄積量情報に基づいて、所定時間下りフレームを受信しない等のスリープ移行条件を満たすＯＮＵ２が存在するかを判断する（ステップＳＴ２２）。
【００３３】
このステップＳＴ２２において、スリープ処理部１０９は、スリープ移行条件を満たすＯＮＵ２が存在すると判断した場合には、当該ＯＮＵ２に対して、スリープ状態への移行を要求するスリープ要求信号を送信する（ステップＳＴ２３）。その後、このスリープ要求信号は、下り用バッファ部１０４、フレーム読出部１０６、光送受信部１０７及びＰＯＮインタフェース１０１を介して該当ＯＮＵ２に送信される。
【００３４】
次いで、ＯＬＴ１からのスリープ要求信号を受け取ったＯＮＵ２は、この信号を光送受信部２０１を介してスリープ処理部２０４に出力する。そして、スリープ処理部２０４は、このスリープ要求信号に応じ、自己で保持する内部タイマがスリープ開始時刻になった際に、光送受信部２０１に対して電源制御信号を出力してＯＦＦにし、スリープ状態に移行する（ステップＳＴ２４）。
次いで、スリープ処理部２０４は、スリープ要求信号で指定されたスリープ時間を経過した後、光送受信部２０１に対して電源制御信号を出力して再びＯＮにし、スリープ復帰を行う（ステップＳＴ２５）。
【００３５】
次いで、スリープ処理部２０４は、スリープ復帰してから所定時間経過した後、再度、光送受信部２０１に対して電源制御信号を出力してＯＦＦにし、スリープ状態に移行する（ステップＳＴ２６）。
以降、ＯＮＵ２のスリープ処理部２０４は、所定時間ごとに起動（ステップＳＴ２５）と停止（ステップＳＴ２６）を繰り返す。
【００３６】
次に、ＯＬＴ１によるウェイクアップ動作について説明する。
ＯＬＴ１によるウェイクアップ動作では、図３に示すように、まず、バッファ監視部１０８は、下り用バッファ部１０４に蓄積されている各ＯＮＵ２宛ての下りフレームの蓄積量を定期的に（所定の監視周期で）監視し、各ＯＮＵ２宛ての下りフレーム蓄積量の情報をスリープ処理部１０９に出力する（ステップＳＴ３１）。
【００３７】
次いで、スリープ処理部１０９は、バッファ監視部１０８からの各ＯＮＵ２宛ての下りフレーム蓄積量情報に基づいて、スリープ状態にあるＯＮＵ２宛ての下りフレーム蓄積量が所定量に達した等のスリープ解除条件を満たしたかを判断する（ステップＳＴ３２）。
【００３８】
このステップＳＴ３２において、スリープ処理部１０９は、スリープ状態にあるＯＮＵ２がスリープ解除条件を満たしたと判断した場合には、当該ＯＮＵ２に対して、ウェイクアップ信号を送信する（ステップＳＴ３３）。その後、このウェイクアップ信号は、下り用バッファ部１０４、フレーム読出部１０６、光送受信部１０７及びＰＯＮインタフェース１０１を介して該当ＯＮＵ２に送信される。
【００３９】
次いで、ＯＬＴ１からのウェイクアップ信号を受け取ったＯＮＵ２は、この信号を光送受信部２０１を介してスリープ処理部２０４に出力する。そして、スリープ処理部２０４は、スリープ復帰状態にある際にウェイクアップ信号を受け取ることで、光送受信部２０１に対して電源制御信号を出力してＯＮの状態を維持させ、ウェイクアップ状態に移行する（ステップＳＴ３４）。
【００４０】
次に、ＯＮＵ２によるウェイクアップ動作について説明する。
ＯＮＵ２によるウェイクアップ動作では、図４に示すように、まず、バッファ監視部２０３は、上り用バッファ部２０２に蓄積されているＯＬＴ１宛ての上りフレームの蓄積量を定期的に（所定の監視周期で）監視し、ＯＬＴ１宛ての上りフレーム蓄積量の情報をスリープ処理部２０４に出力する（ステップＳＴ４１）。
【００４１】
次いで、スリープ処理部２０４は、バッファ監視部２０３からの上りフレーム蓄積量情報に基づいて、ＯＮＵ２がスリープ状態にある際に、上りフレームが受信されているかを判断する（ステップＳＴ４２）。
【００４２】
このステップＳＴ４２において、スリープ処理部２０４は、上りフレームの受信を確認した場合、光送受信部２０１に対して電源制御信号を出力してＯＮにし、ウェイクアップ状態に移行する（ステップＳＴ４３）。
次いで、スリープ処理部２０４は、ＯＬＴ１への上りフレーム送信が許可された時刻になった際に、ウェイクアップ状態に移行した旨を示すウェイクアップ通知信号を光送受信部２０１を介してＯＬＴ１に送信する（ステップＳＴ４４）。
【００４３】
上記図２，３に示す動作において、スリープ処理部１０９は、バッファ監視部１０８からの各ＯＮＵ２宛ての下りフレーム蓄積量情報を過去一定期間分保持し、その情報を処理することで各ＯＮＵ２宛てのトラフィックの特性を判断している。そして、スリープ処理部１０９は、求めたトラフィック特性に基づいて、スリープ制御を行う際の最適な監視周期を算出して動的に変更している。これにより、監視処理に必要な負荷を低減することが可能となる。
【００４４】
以上のように、本発明の実施の形態１によれば、ＯＬＴ１に、所定の監視周期で、下り用バッファ部１０４に蓄積されている各ＯＮＵ２への下りフレームの蓄積量を監視するバッファ監視部１０８と、その監視結果に基づいて、各ＯＮＵ２に対するスリープ制御を行うとともに、監視周期を動的に変更するスリープ処理部１０９とを設けるように構成したので、ＯＬＴ１にて、各ＯＮＵ２宛ての下りフレームのトラフィック特性を基にスリープ制御を行う際の監視周期を動的に変更することができ、スリープ時間、平均フレーム遅延時間の適正化と、監視処理による負荷の低減とが可能となる。
【００４５】
実施の形態２．
図５はこの発明の実施の形態２に係る通信システムの構成を示す図である。この図５に示す実施の形態２に係る通信システムは、図１に示す実施の形態１に係る通信システムのバッファ監視部１０８，２０３をセッション監視部１１１，２０６に変更したものである。その他の構成は同様であり、同一の符号を付してその説明を省略する。
【００４６】
セッション監視部１１１は、バッファ監視部１０８が有する機能に加えて、下り用バッファ部１０４に蓄積されている各ＯＮＵ２宛ての下りフレームのセッション種別を定期的に（所定の監視周期で）監視し、これをスリープ処理部１０９に通知するものである。なお、セッション種別としては、例えば、インターネット上で音声のやり取りを行うＶｏＩＰ（Ｖｏｉｃｅ  Ｏｖｅｒ  Ｉｎｔｅｒｎｅｔ  Ｐｒｏｔｏｃｏｌ）のセッション制御にはＳＩＰ（Ｓｅｓｓｉｏｎ  Ｉｎｉｔｉａｔｉｏｎ  Ｐｒｏｔｏｃｏｌ）が用いられ、ＷＥＢアクセスのセッション制御にはＨＴＴＰ（ＨｙｐｅｒＴｅｘｔ  Ｔｒａｎｓｆｅｒ  Ｐｒｏｔｏｃｏｌ）が用いられる。
そして、スリープ処理部１０９は、予め、セッションの種別ごとに定められた監視周期を記憶しており、セッション監視部１１１からのセッション種別の通知に応じて、監視周期の再設定を行う。これにより例えばＶｏＩＰのようなリアルタイム性の高いセッションの場合は監視周期を短くし、ＷＥＢアクセスのようなリアルタイム性の低いセッションでは監視周期を長くするといった設定が可能になる。
【００４７】
また、セッション監視部２０６は、バッファ監視部２０３が有する機能に加えて、上り用バッファ部２０２に蓄積されている上りフレームのセッション種別を定期的に（所定の監視周期で）監視し、これをスリープ処理部２０４に通知するものである。
なお、スリープ処理部２０４は、セッション監視部２０６からのセッション種別の通知に基づいて、上りフレーム受信の有無を判断する。
なお、スリープ処理部１０９，２０４によるスリープ制御（スリープ／スリープ解除の制御）は、実施の形態１と同様であり、その説明を省略する。
【００４８】
以上のように、本発明の実施の形態２によれば、ＯＬＴ１に、バッファ監視部１０８に代えて、所定の監視周期で、下り用バッファ部１０４に蓄積されている各ＯＮＵ２への下りフレームのセッション種別を監視するセッション監視部１１１を設け、スリープ処理部１０９は、セッション監視部１１１による監視結果に基づいて、各ＯＮＵ２に対するスリープ制御を行うとともに、監視周期を動的に変更するように構成しても、ＯＬＴ１にて、各ＯＮＵ２宛ての下りフレームのセッション種別を基にスリープ制御を行う際の監視周期を動的に変更することができ、スリープ時間、平均フレーム遅延時間の適正化と、監視処理による負荷の低減とが可能となる。
【００４９】
実施の形態３．
実施の形態１では、監視周期の動的変更をＯＬＴ１で行うものとしたが、ＯＮＵ２側で行ってもよい。なお、実施の形態３に係るＰＯＮシステムの構成は、図１に示す実施の形態１に係るＰＯＮシステムの構成と同様であり、以下、図１を参照しながら説明を行う。
【００５０】
ＯＮＵ２側で監視周期の動的変更を行う場合、スリープ処理部２０４は、バッファ監視部２０３からのＯＬＴ１宛ての上りフレーム蓄積量情報を過去一定期間分保持し、その情報を処理することでＯＬＴ１宛てのトラフィックの特性を判断する。このトラフィック特性としては、例えば平均到着間隔や使用帯域等が考えられる。そして、スリープ処理部２０４は、求めたトラフィック特性に基づいて、スリープ解除制御を行う際の最適な監視周期（バッファ監視部２０３での監視周期）を算出して動的に変更する。
なお、監視周期の動的変更をＯＮＵ２側で行う点以外は、実施の形態１と同様の動作となり、その説明を省略する。
【００５１】
以上のように、本発明の実施の形態３によれば、ＯＮＵ２に、所定の監視周期で、上り用バッファ部２０２に蓄積されているＯＬＴ１への上りフレームの蓄積量を監視するバッファ監視部２０３と、その監視結果に基づいて、自機に対するスリープ解除制御を行うとともに、監視周期を動的に変更するスリープ処理部２０４とを設けるように構成したので、ＯＮＵ２にて、ＯＬＴ１宛ての上りフレームのトラフィック特性を基にスリープ解除制御を行う際の監視周期を動的に変更することができ、スリープ時間、平均フレーム遅延時間の適正化と、監視処理による負荷の低減とが可能となる。
【００５２】
実施の形態４．
実施の形態２では、監視周期の動的変更をＯＬＴ１で行うものとしたが、ＯＮＵ２側で行ってもよい。なお、実施の形態４に係るＰＯＮシステムの構成は、図５に示す実施の形態２に係るＰＯＮシステムの構成と同様であり、以下、図５を参照しながら説明を行う。
【００５３】
ＯＮＵ２側で監視周期の動的変更を行う場合、スリープ処理部２０４は、予め、セッションの種別ごとに定められた監視周期を記憶しており、セッション監視部２０６からのセッション種別の通知に応じて、スリープ解除制御を行う際の監視周期（セッション監視部２０６での監視周期）の再設定を行い動的に変更する。これにより例えばＶｏＩＰ（Ｖｏｉｃｅ  Ｏｖｅｒ  Ｉｎｔｅｒｎｅｔ  Ｐｒｏｔｏｃｏｌ）のようなリアルタイム性の高いセッションの場合は監視周期を短くし、ＷＥＢアクセスのようなリアルタイム性の低いセッションでは監視周期を長くするといった設定が可能になる。
なお、監視周期の動的変更をＯＮＵ２側で行う点以外は、実施の形態２と同様の動作となり、その説明を省略する。
【００５４】
以上のように、本発明の実施の形態４によれば、ＯＮＵ２に、所定の監視周期で、上り用バッファ部２０２に蓄積されているＯＬＴ１への上りフレームのセッション種別を監視するセッション監視部２０６を設け、スリープ処理部２０４は、セッション監視部２０６による監視結果に基づいて、自機に対するスリープ解除制御を行うとともに、監視周期を動的に変更するように構成しても、ＯＮＵ２にて、ＯＬＴ１宛ての上りフレームのセッション種別を基にスリープ解除制御を行う際の監視周期を動的に変更することができ、スリープ時間、平均フレーム遅延時間の適正化と、監視処理による負荷の低減とが可能となる。
【００５５】
なお、本願発明はその発明の範囲内において、各実施の形態の自由な組み合わせ、あるいは各実施の形態の任意の構成要素の変形、若しくは各実施の形態において任意の構成要素の省略が可能である。
【符号の説明】
【００５６】
１  ＯＬＴ、２，２−１〜２−Ｎ  ＯＮＵ、３  光カップラ、４  下位側装置、５  上位側装置、１０１  ＰＯＮインタフェース、１０２  上位側インタフェース、１０３  フレーム分離部、１０４  下り用バッファ部、１０５  フレーム読出制御部、１０６  フレーム読出部、１０７  光送受信部、１０８  バッファ監視部、１０９  スリープ処理部、１１０  上り用バッファ部、１１１  セッション監視部、２０１  光送受信部、２０２  上り用バッファ部、２０３  バッファ監視部、２０４  スリープ処理部、２０５  下り用バッファ部、２０６  セッション監視部。
【図１】
2013223226.tif 000003
【図２】
2013223226.tif 000004
【図３】
2013223226.tif 000005
【図４】
2013223226.tif 000006
【図５】
2013223226.tif 000007